(57)【要約】【課題】部屋の排気が循環空気に混入せず、部屋内の空気や循環空気の汚染物質濃度が低いものとなる空気循環式建物を提供する。【解決手段】外気はベントキャップ１、ダクト２を介して、床下３に配置された機能チャンバ４に導入される。空気はエアフィルタ６で除塵された後、加温又は冷却され、分岐用チャンバ７及びそれから分岐したダクト８を介して床下３へ流出する。空気は、１階の部屋１０の壁裏の通気経路１１、２階の部屋２０の壁裏の通気経路２１、２階床下スペース２２を通って小屋裏スペース２４にまで上昇する。空気は、次いで、ダクト２５、合流用チャンバ２６及びダクト２７を介して前記機能チャンバ４へ戻る。部屋１０，２０内に調温空気の一部が流入し、ダクト３１、集中排気装置３２を介して建物外に直接に排気される。【選択図】図１
2008069555.tif 000002
【特許請求の範囲】
【請求項１】
部屋の床下に調温空気の供給機が設けられ、床下及び壁裏を介して該調温空気が部屋よりも上側にまで流通し、部屋よりも上側に設けられた集気部と該集気部に連なる通気路とを介して空気が前記供給機に循環される空気循環式建物において、
前記床下又は壁裏から前記部屋内に空気を供給する給気口を設けると共に、
該部屋内から空気を建物外に排気する排気手段を設けたことを特徴とする空気循環式建物。
【請求項２】
請求項１において、前記排気手段は排気ダクト及び排気ファンを有しており、該ダクトを介して部屋内の空気を直接に建物外へ排気するものであることを特徴とする空気循環式建物。
【発明の詳細な説明】
【技術分野】
【０００１】
本発明は空気循環式建物に関するものである。
【背景技術】
【０００２】
部屋の床下に、空気を調温即ち加温又は冷却するための調温手段を有した調温空気供給機を設け、この調温空気を床下及び壁裏を介して小屋裏にまで流通させ、次いで小屋裏から該調温空気供給機までダクトによって循環させるようにした空気循環式建物が特開２００３−３４３８８４号、実用新案登録第３０３８３２４号に記載されている。
【特許文献１】特開２００３−３４３８８４号
【特許文献２】実用新案登録第３０３８３２４号
【発明の開示】
【発明が解決しようとする課題】
【０００３】
上記特開２００３−３４３８８４号の空気循環式建物では、調温空気は床下、壁裏、小屋裏及びダクトを単に循環するだけであり、部屋内の空調等についての考慮はなされていない。
【０００４】
上記実用新案登録第３０３８３２４号の空気循環式建物では、部屋の壁と床の交叉隅角に設けた通気口から調温空気を部屋内に流入させると共に、この部屋の天井に設けた通気口から部屋内の空気を天井裏に排気し、前記調温空気に合流させるようにしている。
【０００５】
このように循環調温空気の一部を部屋内に流入させ、部屋からの排気を再び循環調温空気に合流させる場合には、部屋内からの排気中に含まれる空気汚染物質が循環調温空気に蓄積することになる。この結果、部屋内の空気も次第に汚染物質濃度の高いものとなってくる。また、調温空気を循環させるためのファンや、熱交換用のフィンが汚染物質（例えば炭酸ガス、硫黄酸化物など）によって腐食するおそれもある。
【０００６】
本発明は、このような問題点を解決し、部屋の排気が循環空気に混入せず、部屋内の空気や循環空気の汚染物質濃度が低いものとなる空気循環式建物を提供することを目的とする。
【課題を解決するための手段】
【０００７】
本発明の空気循環式建物は、部屋の床下に調温空気の供給機が設けられ、床下及び壁裏を介して該調温空気が部屋よりも上側にまで流通し、部屋よりも上側に設けられた集気部と該集気部に連なる通気路とを介して空気が前記供給機に循環される空気循環式建物において、前記床下又は壁裏から前記部屋内に空気を供給する給気口を設けると共に、該部屋内から空気を建物外に排気する排気手段を設けたことを特徴とするものである。
【０００８】
この排気手段としては、排気ダクト及び排気ファンを有しており、該ダクトを介して部屋内の空気を直接に建物外へ排気するものが好適である。
【発明の効果】
【０００９】
本発明では、調温空気の供給機からの調温空気が床下及び壁裏を介して部屋の上側スペース（例えば小屋裏）に流れ、次いでダクトを介して調温空気の供給機に循環される。従って、調温空気が冷たい空気であっても、建物全体に十分に空気が循環するようになり、建物全体を効率よく冷房することができる。
【００１０】
本発明では、部屋内にこの調温空気が導入され、部屋内の空気は排気手段を介して建物外に排気されるため、循環空気に部屋内の汚れた空気が混入しない。従って循環空気や部屋内の空気に汚染物質が蓄積することがない。また、この結果、循環用のファンや熱交換用フィンなどの部材の腐食が防止され、機器の寿命が長くなると共に、メンテナンスの頻度も少なくて済むようになる。
【００１１】
排気手段として、排気ダクト及び排気ファンを有しており、該ダクトを介して部屋内の空気を直接に建物外へ排気するものを用いた場合には、部屋内の空気が建物外へ容易に排気される。
【発明を実施するための最良の形態】
【００１２】
以下、図面を参照して実施の形態について説明する。第１図は実施の形態に係る建物としての住宅を示す縦断面図である。
【００１３】
外気はベントキャップ１、ダクト２を介して、床下３に配置された機能チャンバ４に導入される。このチャンバ４内には熱交換器（図示略）とエアフィルタ６とファン５とが設置されている。熱交換器へは、建物外の空調機本体（図示略）から伝熱媒体が供給され、空気が冷却又は加温可能とされている。これらチャンバ４、熱交換器、エアフィルタ６、ファン５によって調温空気供給機が構成されている。
【００１４】
熱交換器で冷却又は加温された空気は、分岐用チャンバ７及びそれから分岐したダクト８を介して床下３へ流出する。符号９は床下コンクリート、９ａは断熱材、９ｂは押えコンクリートを示す。
【００１５】
床下３へ流出した空気は、１階の部屋１０，１０Ａ（１０は客室、ダイニングなどの部屋を示し、１０Ａはトイレ、浴室などの水回りの部屋を示している。）の壁裏の通気経路１１と、２階の部屋２０の壁裏の通気経路２１を通って小屋裏２４にまで上昇する。なお、一部の空気は２階の床下スペース２２を流れる。
【００１６】
小屋裏スペース２４内の空気は、集気用ダクト２５、合流用チャンバ２６及びダクト２７を介して前記機能チャンバ４へ戻る。このダクト２７からの戻り空気と、ダクト２からの新しい空気とが合流し、機能チャンバ４を通って上記の通り循環する。
【００１７】
１階及び２階の壁裏の通気経路１１，２１内に流入した空気の一部は、部屋１０，２０の壁などに設けられた給気口１１ａ、２１ａを介して各部屋１０，２０内に導入され、その後、居室の天井や押入２０Ａの床などに設けられた排気口３１ａ、排気管３１、集合用チャンバの内部にファンを設けてなる集中排気装置３２、ダクト３３及びフード３４を介して建物外部に放出される。トイレなど一部の部屋１０Ａにあっては、換気用ダクト及び換気扇（図示略）などよりなる局所換気装置３５を介して室内の空気が建物外へ排出される。
【００１８】
前記通気経路１１，２１、小屋裏２４には仕切りパネル４０が配設され、住宅外壁や屋根との間に通気スペース４１が形成されている。この通気スペース４１へは、下部の吸気口から空気が吸い込まれ、棟換気装置４３から排気が行われる。
【００１９】
このように構成された空気循環式建物においては、上記の通り、熱交換器、ファン５等を備えたチャンバ４からの調温空気が床下及び壁裏を介して小屋裏２４に流れ、次いでダクト２７を介してチャンバ４に循環される。従って、建物全体が効率よく空調される。なお、調温空気が冷たい空気であっても、建物全体に十分に空気が循環するようになり、建物全体を効率よく冷房することができる。
【００２０】
また、この建物では、部屋１０，２０内にこの調温空気が導入され、部屋内の空気はダクト３１及び集中排気装置３２を介して建物外に直接に排気され、循環空気とは別路であるため、循環空気に部屋１０，２０内の汚れた空気が混入しない。従って循環空気や部屋１０，２０内の空気に汚染物質が蓄積することがない。特に冷たい空気を循環させる場合に顕著な、部屋を通った空気がチャンバ４に循環してくることによりチャンバ４内にあるフィンに室内から排出された汚染物質が水滴に含まれて付着するという問題も生じない。また、この結果、循環用のファン５や熱交換用フィンなどの部材の腐食が防止され、機器の寿命が長くなると共に、メンテナンスの頻度も少なくて済むようになる。
【図面の簡単な説明】
【００２１】
【図１】実施の形態に係る建物としての住宅を示す縦断面図である。
【符号の説明】
【００２２】
１０，２０  部屋
１１，２１  通気経路
２４  小屋裏
２７，３１  ダクト
３２  集中排気装置
【図１】
2008069555.tif 000003